(57)【要約】【課題】  使用者毎及び装置毎の画像の再生及び消去を制限することにより記録データを保護することができる。【解決手段】  記録媒体への画像の記録時において、本体パスワードが設定されている場合は、画像に本体パスワードを付加して記録媒体に記録し、本体パスワードが設定されていない場合は、画像に本体パスワードを付加しないで記録媒体に記録するように制御する。【選択図】  図５
2006121507.tif 000002
【特許請求の範囲】
【請求項１】
撮像された画像を記録及び再生可能な記録再生装置であって、
前記記録再生装置の少なくとも１つの機能を制限するための少なくとも１つ以上の本体パスワードを設定する本体パスワード設定手段と、
記録媒体への画像の記録時において、前記本体パスワード設定手段により本体パスワードが設定されている場合は、画像に本体パスワードを付加して前記記録媒体に記録し、前記本体パスワード設定手段により本体パスワードが設定されていない場合は、画像に本体パスワードを付加しないで前記記録媒体に記録するように制御する記録制御手段と、を有することを特徴とする記録再生装置。
【請求項２】
前記記録媒体に記録されたファイルまたはディレクトリにデータパスワードを設定するデータパスワード設定手段をさらに有することを特徴とする請求項１に記載の記録再生装置。
【請求項３】
前記記録制御手段は、前記本体パスワードと前記ディレクトリのデータパスワードが一致しない場合には、前記ディレクトリへの前記画像の記録を行わないことを特徴とする請求項２に記載の記録再生装置。
【請求項４】
前記記録制御手段は、前記本体パスワードと前記ディレクトリのデータパスワードが一致しない場合には、新たなディレクトリを生成し、前記生成したディレクトリに、前記本体パスワードを付加した前記画像を記録することを特徴とする請求項３に記載の記録再生装置。
【請求項５】
前記本体パスワード設定手段は、表示手段に表示される少なくとも１つのパスワード文字を選択するパスワード選択手段と、前記パスワード選択手段によって選択されたパスワード文字をパスワードとして決定するためのパスワード決定手段とを含むことを特徴とする請求項１〜４のいずれかに記載の記録再生装置。
【請求項６】
前記本体パスワード設定手段は、前記記録再生装置に備えられている少なくとも１つ以上の操作部材の操作内容をパスワードとして設定することを特徴とする請求項１〜４のいずれかに記載の記録再生装置。
【請求項７】
撮像された画像を記録及び再生可能な記録再生装置であって、
前記記録再生装置の少なくとも１つの機能を制限するための少なくとも１つ以上の本体パスワードを記憶する本体パスワード記憶手段と、
前記記録媒体に記録された画像の再生時において、前記画像のファイルまたはディレクトリに付加されたデータパスワードと前記本体パスワード記憶手段に記憶された本体パスワードが一致する場合は、前記記録媒体に記録された画像を再生し、前記データパスワードと前記本体パスワードが一致しない場合は、前記記録手段により記録される画像を再生しないように制御する再生制御手段と、を有することを特徴とする記録再生装置。
【請求項８】
画像を表示する表示手段をさらに有し、
前記再生制御手段は、前記表示手段において前記画像が生成されるように制御することを特徴とする請求項５に記載の記録再生装置。
【請求項９】
撮像された画像を記録及び再生可能であり、外部装置に対して前記画像を送信可能である記録再生装置であって、
前記記録再生装置の少なくとも１つの機能を制限するための少なくとも１つ以上の本体パスワードを記憶する本体パスワード記憶手段と、
前記外部装置への画像の送信時において、前記画像のファイルまたはディレクトリに付加されたデータパスワードと前記本体パスワード記憶手段に記憶された本体パスワードが一致する場合は、前記記録媒体の画像を前記外部装置に対して送信し、前記データパスワードと前記本体パスワードが一致しない場合は、前記記録媒体の画像を前記外部装置に対して送信しないように制御する送信制御手段と、を有することを特徴とする記録再生装置。
【請求項１０】
撮像された画像を記録及び再生可能な記録再生装置の記録制御方法であって、
前記記録再生装置の少なくとも１つの機能を制限するための少なくとも１つ以上の本体パスワードを設定する本体パスワード設定工程と、
記録媒体への画像の記録時において、前記本体パスワード設定工程により本体パスワードが設定されている場合は、画像に本体パスワードを付加して前記記録媒体に記録し、前記本体パスワード設定工程により本体パスワードが設定されていない場合は、画像に本体パスワードを付加しないで前記記録媒体に記録するように制御する記録制御工程と、を有することを特徴とする記録再生装置の記録制御方法。
【請求項１１】
撮像された画像を記録及び再生可能な記録再生装置の再生制御方法であって、
前記記録再生装置の少なくとも１つの機能を制限するための少なくとも１つ以上の本体パスワードを記憶する本体パスワード記憶工程と、
記録媒体に記録された画像の再生時において、前記画像のファイルまたはディレクトリに付加されたデータパスワードと前記本体パスワードが一致する場合は前記記録媒体の画像を再生し、前記データパスワードと前記本体パスワードが一致しない場合は前記記録媒体の画像を再生しないように制御する再生制御工程と、を有することを特徴とする記録再生装置の再生制御方法。
【請求項１２】
撮像された画像を記録及び再生可能であり、外部装置に対して前記画像を送信可能である記録再生装置の送信制御方法であって、
前記記録再生装置の少なくとも１つの機能を制限するための少なくとも１つ以上の本体パスワードを記憶する本体パスワード記憶工程と、
前記外部装置への画像の送信時において、前記画像のファイルまたはディレクトリに付加されたデータパスワードと前記本体パスワードが一致する場合は前記記録媒体の画像を前記外部装置に対して送信し、前記データパスワードと前記本体パスワードが一致しない場合は前記記録媒体の画像を前記外部装置に対して送信しないように制御する送信制御工程と、を有することを特徴とする記録再生装置の送信制御方法。
【請求項１３】
撮像された画像を記録及び再生可能な記録再生装置の記録制御方法を実行するためのプログラムコードを記憶した記憶媒体であって、
前記記録再生装置の少なくとも１つの機能を制限するための少なくとも１つ以上の本体パスワードを設定する本体パスワード設定コードと、
記録媒体への画像の記録時において、前記本体パスワード設定コードにより本体パスワードが設定されている場合は、画像に本体パスワードを付加して前記記録媒体に記録し、前記本体パスワード設定コードにより本体パスワードが設定されていない場合は、画像に本体パスワードを付加しないで前記記録媒体に記録するように制御する記録制御コードと、を有することを特徴とする記憶媒体。
【請求項１４】
撮像された画像を記録及び再生可能な記録再生装置の再生制御方法を実行するためのプログラムコードを記憶した記憶媒体であって、
前記記録再生装置の少なくとも１つの機能を制限するための少なくとも１つ以上の本体パスワードを記憶する本体パスワード記憶コードと、
記録媒体に記録された画像の再生時において、前記画像のファイルまたはディレクトリに付加されたデータパスワードと前記本体パスワードが一致する場合は前記記録媒体の画像を再生し、前記データパスワードと前記本体パスワードが一致しない場合は前記記録媒体の画像を再生しないように制御する再生制御コードと、を有することを特徴とする記憶媒体。
【請求項１５】
撮像された画像を記録及び再生可能であり、外部装置に対して前記画像を送信可能である記録再生装置の送信制御方法を実行するためのプログラムコードを記憶した記憶媒体であって、
前記記録再生装置の少なくとも１つの機能を制限するための少なくとも１つ以上の本体パスワードを記憶する本体パスワード記憶コードと、
前記外部装置への画像の送信時において、前記画像のファイルまたはディレクトリに付加されたデータパスワードと前記本体パスワードが一致する場合は前記記録媒体の画像を前記外部装置に対して送信し、前記データパスワードと前記本体パスワードが一致しない場合は前記記録媒体の画像を前記外部装置に対して送信しないように制御する送信制御コードと、を有することを特徴とする記憶媒体。
【発明の詳細な説明】
【技術分野】
【０００１】
本発明は、撮像された画像を記録及び再生可能な記録再生装置、記録再生装置の記録制御方法、記録再生装置の再生制御方法、記録再生装置の送信制御方法、及び記憶媒体に関するものである。
【背景技術】
【０００２】
従来、記録再生装置で記録された全ての画像は、その記録再生装置で再生、消去することが出来る。画像毎に消去防止（読み取り専用）の設定が可能であるが、その設定、及び設定の削除も可能である。また、記録再生装置で記録した全ての画像は、他の機器と通信した場合、他の機器での再生、及び記録画像の消去が可能である（特許文献１参照）。
【特許文献１】特開平１０−３０７７５８号公報
【発明の開示】
【発明が解決しようとする課題】
【０００３】
しかしながら、従来の技術では、記録再生装置で記録された画像は、記録者が記録媒体を取り外して管理することができなければ、記録再生装置を使用する誰もが記録画像の再生、消去をすることが可能である。
【０００４】
本発明は上述した問題点を解決するためのものであり、使用者毎及び装置毎の画像の再生及び消去を制限することにより記録データを保護することができる撮像された画像を記録及び再生可能な記録再生装置、記録再生装置の記録制御方法、記録再生装置の再生制御方法、記録再生装置の送信制御方法、及び記憶媒体を提供することを目的とする。
【課題を解決するための手段】
【０００５】
上記目的を達成するために、本発明の記録再生装置は、撮像された画像を記録及び再生可能な記録再生装置であって、前記記録再生装置の少なくとも１つの機能を制限するための少なくとも１つ以上の本体パスワードを設定する本体パスワード設定手段と、記録媒体への画像の記録時において、前記本体パスワード設定手段により本体パスワードが設定されている場合は、画像に本体パスワードを付加して前記記録媒体に記録し、前記本体パスワード設定手段により本体パスワードが設定されていない場合は、画像に本体パスワードを付加しないで前記記録媒体に記録するように制御する記録制御手段と、を有することを特徴とする。
【０００６】
また、本発明の記録再生装置は、撮像された画像を記録及び再生可能な記録再生装置であって、前記記録再生装置の少なくとも１つの機能を制限するための少なくとも１つ以上の本体パスワードを記憶する本体パスワード記憶手段と、前記記録媒体に記録された画像の再生時において、前記画像のファイルまたはディレクトリに付加されたデータパスワードと前記本体パスワード記憶手段に記憶された本体パスワードが一致する場合は、前記記録媒体に記録された画像を再生し、前記データパスワードと前記本体パスワードが一致しない場合は、前記記録手段により記録される画像を再生しないように制御する再生制御手段と、を有することを特徴とする。
【０００７】
また、撮像された画像を記録及び再生可能であり、外部装置に対して前記画像を送信可能である記録再生装置であって、前記記録再生装置の少なくとも１つの機能を制限するための少なくとも１つ以上の本体パスワードを記憶する本体パスワード記憶手段と、前記外部装置への画像の送信時において、前記画像のファイルまたはディレクトリに付加されたデータパスワードと前記本体パスワード記憶手段に記憶された本体パスワードが一致する場合は、前記記録媒体の画像を前記外部装置に対して送信し、前記データパスワードと前記本体パスワードが一致しない場合は、前記記録媒体の画像を前記外部装置に対して送信しないように制御する送信制御手段と、を有することを特徴とする。
【０００８】
また、本発明の記録再生装置の記録制御方法は、撮像された画像を記録及び再生可能な記録再生装置の記録制御方法であって、前記記録再生装置の少なくとも１つの機能を制限するための少なくとも１つ以上の本体パスワードを設定する本体パスワード設定工程と、記録媒体への画像の記録時において、前記本体パスワード設定工程により本体パスワードが設定されている場合は、画像に本体パスワードを付加して前記記録媒体に記録し、前記本体パスワード設定工程により本体パスワードが設定されていない場合は、画像に本体パスワードを付加しないで前記記録媒体に記録するように制御する記録制御工程と、を有することを特徴とする。
【０００９】
また、本発明の記録再生装置の再生制御方法は、撮像された画像を記録及び再生可能な記録再生装置の再生制御方法であって、前記記録再生装置の少なくとも１つの機能を制限するための少なくとも１つ以上の本体パスワードを記憶する本体パスワード記憶工程と、記録媒体に記録された画像の再生時において、前記画像のファイルまたはディレクトリに付加されたデータパスワードと前記本体パスワードが一致する場合は前記記録媒体の画像を再生し、前記データパスワードと前記本体パスワードが一致しない場合は前記記録媒体の画像を再生しないように制御する再生制御工程と、を有することを特徴とする。
【００１０】
また、本発明の記録再生装置の送信制御方法は、撮像された画像を記録及び再生可能であり、外部装置に対して前記画像を送信可能である記録再生装置の送信制御方法であって、前記記録再生装置の少なくとも１つの機能を制限するための少なくとも１つ以上の本体パスワードを記憶する本体パスワード記憶工程と、前記外部装置への画像の送信時において、前記画像のファイルまたはディレクトリに付加されたデータパスワードと前記本体パスワードが一致する場合は前記記録媒体の画像を前記外部装置に対して送信し、前記データパスワードと前記本体パスワードが一致しない場合は前記記録媒体の画像を前記外部装置に対して送信しないように制御する送信制御工程と、を有することを特徴とする。
【００１１】
また、本発明の記憶媒体は、撮像された画像を記録及び再生可能な記録再生装置の記録制御方法を実行するためのプログラムコードを記憶した記憶媒体であって、前記記録再生装置の少なくとも１つの機能を制限するための少なくとも１つ以上の本体パスワードを設定する本体パスワード設定コードと、記録媒体への画像の記録時において、前記本体パスワード設定コードにより本体パスワードが設定されている場合は、画像に本体パスワードを付加して前記記録媒体に記録し、前記本体パスワード設定コードにより本体パスワードが設定されていない場合は、画像に本体パスワードを付加しないで前記記録媒体に記録するように制御する記録制御コードと、を有することを特徴とする。
【００１２】
また、本発明の記憶媒体は、撮像された画像を記録及び再生可能な記録再生装置の再生制御方法を実行するためのプログラムコードを記憶した記憶媒体であって、前記記録再生装置の少なくとも１つの機能を制限するための少なくとも１つ以上の本体パスワードを記憶する本体パスワード記憶コードと、記録媒体に記録された画像の再生時において、前記画像のファイルまたはディレクトリに付加されたデータパスワードと前記本体パスワードが一致する場合は前記記録媒体の画像を再生し、前記データパスワードと前記本体パスワードが一致しない場合は前記記録媒体の画像を再生しないように制御する再生制御コードと、を有することを特徴とする。
【００１３】
また、本発明の記憶媒体は、撮像された画像を記録及び再生可能であり、外部装置に対して前記画像を送信可能である記録再生装置の送信制御方法を実行するためのプログラムコードを記憶した記憶媒体であって、前記記録再生装置の少なくとも１つの機能を制限するための少なくとも１つ以上の本体パスワードを記憶する本体パスワード記憶コードと、前記外部装置への画像の送信時において、前記画像のファイルまたはディレクトリに付加されたデータパスワードと前記本体パスワードが一致する場合は前記記録媒体の画像を前記外部装置に対して送信し、前記データパスワードと前記本体パスワードが一致しない場合は前記記録媒体の画像を前記外部装置に対して送信しないように制御する送信制御コードと、を有することを特徴とする。
【発明の効果】
【００１４】
本発明によれば、記録再生装置と、記録媒体のディレクトリや画像ファイルのそれぞれ、或いはどちらかに１つ以上のパスワードを設定することで、パスワードが一致しないディレクトリや画像ファイルの再生や消去を制限したり、それらの存在を隠すことができ、複数の使用者間の画像の再生、消去を制限して記録データを保護することが出来る画像再生装置を提供できる。
【００１５】
また、複数のパスワードを設定することで、他人に公開するパスワードで再生や消去できるディレクトリや画像ファイルを制限することも出来るので、他者の使用時にも意図した記録データの開示と保護が可能となる。
【発明を実施するための最良の形態】
【００１６】
以下、図面を参照して本発明の実施の形態を説明する。
【００１７】
本実施形態では、本発明を、民生用デジタルＶＴＲ規格に準じた液晶モニタ付きのカメラ一体型ＶＴＲに適応した場合ついて説明する。
【００１８】
図１は本実施形態のカメラ一体型ＶＴＲにおける機能ブロック図である。
【００１９】
図１において、１は音声を集音するマイク部、２はマイク部１より取り込まれた声信号に対して所定の信号処理を施す音声信号処理部、３はアナログ音声信号をデジタル音声信号に変換するＡ／Ｄ変換部、４は被写体を撮像するための撮像部、６はアナログ映像信号をデジタル映像信号に変換するＡ／Ｄ変換部、５は撮像部４から取り込まれ、Ａ／Ｄ変換された映像信号に対して所定の信号処理を施す映像信号処理部、７はカメラ系制御部で、マイクロコンピュータ等により構成され、システム制御部２３、カメラ系操作部２５の指示等により、カメラ系全体を制御する。
【００２０】
次に、８は、時計部２４にて発生した現在の日付・時刻、システム制御部２３にて発生したＰＰＩＤ等の各種のＩＤデータ等に対して、サブコード記録領域にデジタル記録可能な信号とするためにＤ／Ｄ変換を行うサブコードデータエンコード部、１０はサブコード・データを検出して出力するサブコード・データ検出部である。２２はレコーダー部であり、１９はデジタル音声信号，デジタル映像信号，及びサブコード・データをそれぞれ切り替えて出力するデータ切替部１９ａを含む記録信号処理部、２１は記録信号処理部１９からの各々のデジタル信号を磁気テープ（図示せず）に記録、または、磁気テープ（図示せず）に記録されたデジタル信号を再生するための磁気ヘッドを含むメカ部である。
【００２１】
２０は磁気ヘッドを含むメカ部２１より再生されたデジタル音声信号，デジタル映像信号，及びサブコード・データをそれぞれ切り替えて出力するデータ切替部２０ａを含む再生信号処理部、１４はデータ切替部２０ａで切替分離されたデジタル音声信号をアナログ音声信号に変換するＤ／Ａ変換部、１３は変換されたアナログ音声信号に対して所定の信号処理を施す音声信号処理部、１２は音声を出力するスピーカ部である。
【００２２】
さらに、１７はデータ切替部２０ａで切替分離されたデジタル映像信号をアナログ映像信号に変換するＤ／Ａ変換部、１６は変換されたアナログ映像信号に対して所定の信号処理を施す記録信号処理部、１８はシステム制御部２３の指示に従って日付・時刻、メニューをはじめとする各種の情報をスーパーインポーズするためのＯＳＤ（Ｏｎ  Ｓｃｒｅｅｎ  Ｄｉｓｐｌａｙ）部、１５は記録信号処理部１６より得られた映像及びＯＳＤ部１８より得られたスーパーインポーズ情報を表示する液晶モニタ部、９はサブコード・データ検出部１０からのサブコード・データ（撮影日付・時刻データ，ＰＰＩＤ等の各種ＩＤデータ等）に対してＤ／Ｄ変換を行うサブコード・データデコード部である。
【００２３】
２４は撮影日付・時刻を発生するための時計部、２５はカメラ系の操作に係わる各種スイッチ（［ＺＯＯＭ］，［ＦＯＣＵＳ］等）類から構成されるカメラ系操作部、２６はＶＴＲ系，及び装置全体に関する各種スイッチ（［ＵＰ］、［ＤＯＷＮ］、［ＲＩＧＨＴ］、［ＬＥＦＴ］、［ＭＥＮＵ］、［ＰＬＡＹ］、［ＦＦ／ＲＥＷ］、［ＳＴＯＰ］、［ＳＴＡＲＴ／ＳＴＯＰ］、［ＰＨＯＴＯ］、［ＰＨＯＴＯ  ＳＥＲＡＣＨ］等）類から構成されるＶＴＲ系操作部、２７は本体の電源モード（カメラ・ＶＴＲ・オフ）を選択するための電源モードＳＷ部、２８はリモコン信号を受信しリモコンコードをシステム制御部２３に送出する赤外リモコン信号受信部である。
【００２４】
システム制御部２３は、上述した、カメラ一体型ＶＴＲの各種機能を総合的に制御するマイクロコンピュータ等から構成され、タイマー機能をはじめとする各種機能を有し、電源モードの制御、ＶＴＲブロックの動作モード遷移の制御、各種情報表示制御、各種撮影モード記憶と保持等を主に行う。更に、標準圧縮記録モード／高圧縮記録モードの切り替えに伴う、記録時のシステムデータ設定処理、記録／再生信号処理，メカ部２１の制御等も行う。
【００２５】
上記のように構成してなるカメラ一体型ＶＴＲの記録動作について説明する。マイク部１から取り込まれた音声信号は音声信号処理部２にて所定の信号処理を施された後、Ａ／Ｄ変換部３にてデジタル信号に変換されて記録信号処理部１９のデータ切替部１９ａに入力される。また、撮像部４から取り込まれた映像信号は、Ａ／Ｄ変換部６にてデジタル信号に変換され、映像信号処理部５にて所定の信号処理を施された後、記録信号処理部１９のデータ切替部１９ａに入力される。
【００２６】
同時に、時計部２４からの現在日付・時刻データは、サブコード・データエンコード部８にて磁気テープのサブコード記録領域にデジタル記録可能な信号とするためにＤ／Ｄ変換された後、サブコード・データ検出部１０を介して連続的に記録信号処理部１９のデータ切替部１９ａに入力される。
【００２７】
データ切替部１９ａでは、民生用デジタルＶＴＲ規格におけるテープ記録フォーマットに準じて、デジタル音声信号，デジタル映像信号，サブコード・データとしての撮影日付・時刻データ，及びＩＴＩデータがそれぞれ所定の記録領域に記録されるよう前記それぞれのデータを切替出力して、磁気ヘッド２１に供給する。
【００２８】
上述のとおり、本実施形態に係るカメラ一体型ＶＴＲでは、デジタル音声信号，デジタル映像信号と、これらの撮影日付・時刻を示すデータとが、同時且つ連続的に磁気テープ（図示せず）上の別領域にデジタル記録されることとなる。
【００２９】
次に上記のように構成してなるカメラ一体型ＶＴＲの再生動作について説明する。磁気ヘッド２１より読み取られたデジタル音声信号，デジタル映像信号，サブコード・データとしての撮影日付・時刻データ，及びＩＴＩデータは、常時データ切替部２０ａに入力され、該データ切替部２０ａでそれぞれ時系列に切替出力される。
【００３０】
データ切替部２０ａからのデジタル音声信号は、Ｄ／Ａ変換部１４でアナログ音声信号に変換された後、音声信号処理部１３にて所定の信号処理を受けてスピーカ部１２より音声出力される。また、データ切替部２０ａからのデジタル映像信号は、Ｄ／Ａ変換部１７でアナログ映像信号に変換され、記録信号処理部１６にて所定の信号処理を受ける。
【００３１】
同時に、データ切替部２０ａからのサブコード・データとしての撮影日付・時刻データは、サブコード・データ検出部１０を介してサブコード・データデコード部９でＤ／Ｄ変換されて、システム制御部２３に入力される。そして、システム制御部２３では撮影日付・時刻データに対して、使用者によってあらかじめ入力された時差に係わる補正情報に基づき時差補正処理を施した後に、文字表示用データに変換してＯＳＤ制御部１８出力し、さらにＯＳＤ制御部１８でスーパーインポーズデータに変換され、記録信号処理部１６からの映像信号とともに液晶モニタ部１５に出力され、液晶モニタ部１５には、再生映像とともに時差補正された撮影日付・時刻がスーパーインポーズされ表示される。
【００３２】
上記のように構成してなるカメラ一体型ＶＴＲは磁気テープに静止画を記録することができる。この場合、一般のデジタルカメラで使用されれいるＥｘｉｆ規格の記録フォーマットに準じて、磁気テープ上の所定領域にデジタル記録される。また、記録に際しては、後述の図１１に示すような、ディレクトリ情報が生成され、各画像は撮影日時等各種パラメータとともにファイルとして管理される。
【００３３】
なお、本実施形態では、動画、及び静止画ともに磁気テープに記録されるものとして説明したが、記録媒体としてＣＦカード等のメモリカードを使用してもよい。
【００３４】
また、静止画と同様に、動画に関してもＭｐｅｇファイルやＭｏｔｉｏｎ  ＪＰＥＧに変換後に記録媒体に記録し、ファイルとして管理するようにしてもよい。
【００３５】
図２のブロック図は、図１のうち、本発明の特徴部分に大きく関るブロックを抽出したブロック構成である。主に静止画の記録再生に関るものである。
【００３６】
撮影部４では、被写界の光学像を電子画像信号に変換する。変換された電子画像信号は、記録信号処理部１９でテープやディスク、メモリカードなどの記録媒体に記録する。再生信号処理部２０では、記録された画像を視認可能な画像信号に変換し、モニタ部１５に表示する。モニタ部１５はパスワードに関る表示も行う。選択／決定スイッチ２９はパスワードを入力または選択するためのスイッチであり、ファイルやディレクトリの指定等も行う。選択／決定スイッチ２９で決定したパスワードは、メモリ３０に記憶する。パスワード制御部３１は、記録媒体内のパスワードの有無や、記憶したパスワードと記録媒体内のパスワードとの比較等、後述のフローチャートに示す処理の制御を行う。３２は各ブロック間で通信を行うためのバスである。
【００３７】
図３〜６は、本発明を実施した記録再生装置の制御を行うマイクロコンピュータのフローチャートである。このフローチャートに従い、本発明での動作を説明する。なお、以下の説明において、フローチャートの各ステップを“Ｓ”と略す。
【００３８】
図３のフローチャートでは、記録再生装置本体へのパスワード設定動作について説明する。
【００３９】
Ｓ１０１は定常状態を表し、一定間隔（約１６．７ｍｓ毎）でＳ１０２が実行され、パスワードの設定処理を開始するかどうかの判定を行う。パスワードの設定処理を開始しなければ、定常状態Ｓ１０６に分岐する。パスワードの設定処理が開始されればＳ１０３に分岐し、パスワードの設定画面を表示する（図８）。Ｓ１０４でパスワードの入力を待ち、入力の完了と共にＳ１０５に遷移してパスワードを記憶する。パスワードの記憶が完了したらＳ１０６に遷移してパスワードの設定処理を終了する。
【００４０】
図４のフローチャートでは、ディレクトリやファイルへのパスワードの設定、変更、追加、削除動作について説明する。
【００４１】
Ｓ２０１は定常状態を表し、一定間隔（約１６．７ｍｓ毎）でＳ２０２が実行され、パスワードの設定、変更、追加、削除処理を開始するかどうかの判定を行う。パスワードの設定、変更、追加、削除処理の何れも開始されなければ、定常状態Ｓ２０９に分岐して処理を終了する。
【００４２】
パスワードの設定、変更、追加、削除処理の何れかが開始されればＳ２０３に分岐し、パスワードの設定、変更、追加、削除を行う対象のディレクトリやファイルを指定する。次に、対象となるディレクトリやファイルに既にパスワードが設定されているかどうかをＳ２０４で確認する。
【００４３】
対象がディレクトリの場合は、対象となるディレクトリ内に所定のパスワードファイル（ＤＶＣ＿０００１．ｐｗｄ）を検索し、ファイルが無ければパスワードが設定されていないディレクトリと判断する。ファイルがある場合は、ファイル内のパスワードを検索し、パスワードが無ければパスワードが設定されていないディレクトリと判断する。パスワードファイル内にパスワードがある場合、パスワードが設定されているディレクトリとして判断し、パスワードが有効になる。
【００４４】
パスワードの設定、変更、追加、削除を行う対象がファイルの場合は、ファイルの所定の位置（Ｅｘｉｆ  ＩＦＤのメーカーノートタグ）にパスワードデータがあるか検索する。パスワードデータが無ければパスワードが設定されていないファイルと判断する。ファイルの所定の位置にパスワードが設定されている場合、パスワードが設定されているファイルと判断し、パスワードが有効になる。
【００４５】
パスワードが設定されていないと判断した場合はＳ２０６に分岐し、パスワードの入力画面を表示する。パスワードが設定されていると判断した場合はＳ２０５に分岐し、記録再生装置本体のパスワードと比較する。結果、パスワードが一致した場合はＳ２０６に分岐し、パスワード入力画面を表示する。パスワードが不一致の場合は定常状態Ｓ２０９に分岐して、処理を終了する。
【００４６】
パスワードの入力画面を表示したらＳ２０７に遷移し、パスワードの入力完了を待つ。パスワードの入力が完了したらＳ２０８に遷移する。ディレクトリへのパスワードの設定や追加の場合、対象となるディレクトリに、入力されたパスワードを設定、追加した所定のパスワードファイル（ＤＶＣ＿０００１．ｐｗｄ）を記録する。ディレクトリへのパスワードの変更や削除の場合、対象となるディレクトリにある所定のパスワードファイル（ＤＶＣ＿０００１．ｐｗｄ）に設定されているパスワードの内、本体パスワードと一致するものを削除、或いは入力されたパスワードに変更してパスワードファイル（ＤＶＣ＿０００１．ｐｗｄ）を記録する。ファイルへのパスワードの設定や追加の場合、対象となるファイルに、入力されたパスワードデータをファイルの所定の位置（Ｅｘｉｆ  ＩＦＤのメーカーノートタグ）に設定、追加してファイルを記録する。ファイルへのパスワードの変更や削除の場合、対象となるファイルの所定の位置（Ｅｘｉｆ  ＩＦＤのメーカーノートタグ）に記録されているパスワードデータ内、本体パスワードと一致するものを削除、或いは入力されたパスワードデータに変更してファイルを記録する。パスワードの設定、変更、追加、削除処理が完了したらＳ２０９へ遷移し、処理を終了する。
【００４７】
図５のフローチャートでは、記録動作について説明する。本フローチャートの処理は、ユーザによる撮像のためのシャッターボタンの押下等に応答して開始される。
【００４８】
Ｓ４０１は記録開始を表し、開始するとＳ４０２にてディレクトリの作成が必要かどうかを判断する。必要ない場合はＳ４０３に分岐し、ファイルの記録先ディレクトリを指定する。ディレクトリを作る場合は、Ｓ４１０へ遷移して新しいディレクトリを作成する。
【００４９】
次にＳ４０４で、指定したディレクトリにパスワードが設定されているかどうかをＳ２０４と同様の方法で判断し、パスワードが設定されていればＳ４０５に分岐する。設定されていなければ、Ｓ４０９に分岐する。
【００５０】
Ｓ４０５では、ディレクトリのパスワードと記録再生装置本体のパスワードとを比較し、一致すればＳ４０６へ分岐する。両者のパスワードが異なればＳ４１０へ分岐し、新しいディレクトリを作成する。
【００５１】
Ｓ４０６では、記録するファイルの所定の位置（Ｅｘｉｆ  ＩＦＤのメーカーノートタグ）に、本体に設定されているパスワードデータを記録して、Ｓ４０７でファイルを記録する。記録が完了したらＳ４０８へ遷移し、処理を終了する。
【００５２】
一方、Ｓ４１０でディレクトリを作成したらＳ４１１へ遷移し、記録再生装置本体にパスワードが設定されているかを判断する。結果、設定されていればＳ４１２へ分岐し、作成したディレクトリに所定のパスワードファイル（ＤＶＣ＿０００１．ｐｗｄ）を記録する。Ｓ４１２で記録完了したらＳ４０６へ遷移する。本体にパスワードが設定されていない場合は、Ｓ４０７へ分岐する。
【００５３】
図６のフローチャートでは、再生動作について説明する。本フローチャートの処理は、ユーザによるモニタへの画像表示の指示ボタンの押下に応答して開始される。
【００５４】
Ｓ３０１は再生開始を表し、Ｓ３０２へ遷移する。Ｓ３０２では再生画像ファイルを指定して、Ｓ３０３へ遷移する。Ｓ３０３では、指定ファイルがルートディレクトリ上にあるかを判断し、ルートディレクトリ上でなければＳ３０４へ分岐する。ルートディレクトリであればＳ３０６へ分岐する。Ｓ３０４では、全てのディレクトリにパスワードが設定されているかをＳ２０４と同様の方法で判断し、設定されているディレクトリがあればＳ３０５へ分岐する。全てのディレクトリにパスワードが設定されていなければＳ３０６へ分岐する。Ｓ３０５では、全てのディレクトリのパスワードと本体のパスワードとを比較し、パスワードが設定されている全てのディレクトリのパスワードと一致した場合、Ｓ３０６へ分岐する。本体パスワードと不一致のディレクトリがある場合、Ｓ３０９へ分岐し、処理を終了する。
【００５５】
Ｓ３０６では、指定ファイルにパスワードが設定されているかを判断し、設定されていればＳ３０７へ分岐する。設定されていなければＳ３０８へ分岐する。Ｓ３０７では、ファイルのパスワードと本体パスワードとを比較し、一致していればＳ３０８へ分岐する。不一致の場合は、Ｓ３０９へ分岐し、処理を終了する。Ｓ３０８では、画像ファイルを表示し、Ｓ３０９に遷移して処理を終了する。
【００５６】
図７のフローチャートでは、他機種との通信時の動作について説明する。本フローチャートの処理は、ＰＣ等他機種からの画像送信要求コマンド等に応答して開始される。
【００５７】
Ｓ５０１は通信開始を表し、Ｓ５０２へ遷移する。Ｓ５０２では、通信コマンドを送受信し、Ｓ５０３へ遷移する。Ｓ５０３では、送信するディレクトリやファイルを指定し、Ｓ５０４へ遷移する。Ｓ５０４では、指定したディレクトリやファイルにパスワードが設定されているかをＳ２０４と同様の方法で判断し、設定されていればＳ５０５へ分岐する。設定されていなければＳ５０６へ遷移する。
【００５８】
Ｓ５０５では、指定したディレクトリやファイルのパスワードと、記録再生装置本体のパスワードとを比較し、一致していればＳ５０６へ遷移する。不一致の場合、Ｓ５０７へ遷移する。Ｓ５０６では、指定されたディレクトリやファイルの情報を送信し、Ｓ５０７へ遷移する。Ｓ５０７で通信の終了かどうかを判断し、終了であればＳ５０８へ分岐して処理を終了する。通信終了でなければ、Ｓ５０２へ分岐する。
【００５９】
パスワードは、入力画面にて設定された文字列を数値、或いはＡＳＣＩＩコードに変換し、必要であれば暗号化してパスワードデータとして扱う（図８）。或いは、記録再生装置本体に具備しているボタン入力をコード変換し、パスワードデータとして扱う（図９）。
【００６０】
パスワードファイルは図１０のように各ディレクトリ内に存在し、パスワードファイルの内容は、パスワードが１つの場合は図１１（４桁の文字情報「ＡＢＣＤ」をＡＳＣＩＩコード化して記録）のように、パスワードが複数設定されていれば図１２（４桁の文字情報「ＡＢＣＤ」と「１２３４」をＡＳＣＩＩコード化して記録）のようになる。
【００６１】
（他の実施形態）
本発明の目的は、前述した各実施形態の機能を実現するソフトウェアのプログラムコードを記録した記憶媒体を、システムまたは装置に供給し、そのシステムまたは装置のコンピュータ（またはＣＰＵ、ＭＰＵ等）が記憶媒体に格納されたプログラムコードを読み出して実行することによっても達成される。
【００６２】
この場合、記憶媒体から読み出されたプログラムコード自体が本発明の新規な機能を実現することになり、そのプログラムコードを記憶した記憶媒体およびプログラムは本発明を構成することになる。
【００６３】
また、プログラムコードを供給するための記憶媒体としては、例えば、フレキシブルディスク、ハードディスク、光ディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ−Ｒ、磁気テープ、不揮発性のメモリカード、ＲＯＭ等を用いることができる。
【００６４】
また、コンピュータが読み出したプログラムコードを実行することにより、前述した各実施形態の機能が実現されるだけでなく、そのプログラムコードの指示に基づき、コンピュータ上で稼動しているＯＳ（オペレーティングシステム）等が実際の処理の一部または全部を行い、その処理によって前述した各実施形態の機能が実現される場合も含まれる。
【００６５】
更に、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した各実施形態の機能が実現される場合も含まれる。
【図面の簡単な説明】
【００６６】
【図１】本発明の実施形態を最もよく表すブロック図
【図２】本発明の特徴部分を抽出したブロック図
【図３】本発明の実施形態の動作を表すフローチャート
【図４】本発明の実施形態の動作を表すフローチャート
【図５】本発明の実施形態の動作を表すフローチャート
【図６】本発明の実施形態の動作を表すフローチャート
【図７】本発明の実施形態の動作を表すフローチャート
【図８】本発明の実施形態の表示内容を表す表示図
【図９】本発明の実施形態の表示内容を表す表示図
【図１０】本発明の実施形態のファイル構造を表す図
【図１１】本発明の実施形態のパスワードファイルの内容を表す図
【図１２】本発明の実施形態のパスワードファイルの内容を表す図
【符号の説明】
【００６７】
１  マイク部
２  音声信号処理部
３  Ａ／Ｄ変換部
４  撮像部
５  映像信号処理部
６  Ａ／Ｄ変換部
７  カメラ系制御部
８  サブコードデータエンコード部
９  サブコードデータデコード部
１０  サブコードデータ検出部
１１  サブコードデータ処理部
１２  スピーカー部
１３  音声信号処理部
１４  Ｄ／Ａ変換部
１５  液晶モニタ部
１６  記録信号処理部
１７  Ｄ／Ａ変換部
１８  ＯＳＤ制御部
１９  記録信号処理部
２０  再生信号処理部
２１  磁気ヘッドを含むメカ部
２２  レコーダー部
２３  システム制御部
２４  時計部
２５  カメラ系操作部
２６  ＶＴＲ計操作部
２７  電源モードＳＷ
２８  赤外線リモコン信号受信部
２９  選択／決定スイッチ
３０  メモリ
３１  パスワード制御部
３２  バス
【図１】
2006121507.tif 000003
【図２】
2006121507.tif 000004
【図３】
2006121507.tif 000005
【図４】
2006121507.tif 000006
【図５】
2006121507.tif 000007
【図６】
2006121507.tif 000008
【図７】
2006121507.tif 000009
【図８】
2006121507.tif 000010
【図９】
2006121507.tif 000011
【図１０】
2006121507.tif 000012
【図１１】
2006121507.tif 000013
【図１２】
2006121507.tif 000014